(57)【要約】【課題】照射面積を確保して視認性の向上と共にコンパクト化を図ることができる車両用灯具を提供する。【解決手段】車両用灯具１０は、前方が開口したランプボディ１１とその前方開口部１２に取り付けられた前面カバー１３とで形成された灯室１４内に、第１発光素子１８からの光を入射し、前方に出射させるように配置された導光体１５と、第２発光素子１９の光を前方に反射させるリフレクタ２０と、を備えている。そして、車両用灯具１０は、リフレクタ２０の前方に導光体１５を配置すると共に、導光体１５の裏面側に配置した第２発光素子１９の光をリフレクタ２０により導光体１５を外した領域に反射させる。【選択図】図１
2010192166.tif 000002
【特許請求の範囲】
【請求項１】
前方が開口したランプボディとその前方開口部に取り付けられた前面カバーとで形成された灯室内に、
第１光源からの光を入射し、前方に出射させるように配置された導光体と、
第２光源の光を前方に反射させるリフレクタと、を備えた車両用灯具であって、
前記リフレクタの前方に前記導光体を配置するとともに、前記導光体の裏面側に配置した前記第２光源の光を前記リフレクタにより反射させ、該反射光を前方に照射させることを特徴とする車両用灯具。
【請求項２】
前記リフレククは、前記第２光源の反射光を前記導光体を外した領域から前方に照射するように構成されていることを特徴とする請求項１記載の車両用灯具。
【請求項３】
前記導光体の裏面側に該導光体に沿ってエクステンションが設けられ、前記導光体からの漏光を該導光体へ入射させることを特徴とする請求項１又は２記載の車両用灯具。
【請求項４】
前記エクステンションの裏面に、前記リフレクク側に光軸を向けた前記第２光源が固定されていることを特徴とする請求項３記載の車両用灯具。
【請求項５】
前記導光体は、帯状に形成されており、複数の前記第２光源が該導光体に沿って配置されるとともに、前記リフレクタが該導光体に対応して帯状に形成されていることを特徴とする請求項１〜４のいずれか１項記載の車両用灯具。
【発明の詳細な説明】
【技術分野】
【０００１】
本発明は、ランプボディとその前方開口部に取り付けられた前面カバーとで形成された灯室内に、一方の光源からの光を前方に出射させる導光体と、他方の光源の光を前方に反射させるリフレクタとを備えた車両用灯具に関する。
【背景技術】
【０００２】
従来の車両用灯具の一例として、透光性を有する透明な導光体と２つの発光素子を有する灯具ユニットを備えた車両用灯具が知られている（例えば、特許文献１参照）。
この導光体は、前照灯の光軸に沿って前後方向に延設されたベース領域と、該ベース領域の前端部から下方向に垂設されたエプロン領域とが一体に形成されており、ベース領域の後端面に第１発光素子、エプロン領域の後面に第２発光素子が各々配置されている。
【０００３】
そして、第１発光素子から出射された出射光の一部は、ベース領域内を導光され、第２発光素子から出射された出射光と共に導光体の前端部から出射される。また、ベース領域の上面にはテーパステップが形成されており、第１発光素子から出射された出射光の一部は、ベース領域の上面から漏れ出るように出射される。これにより、前方への照射面積を増大させて、視認性の向上を図っている。
【先行技術文献】
【特許文献】
【０００４】
【特許文献１】特開２００６−２３６５８８号公報
【発明の概要】
【発明が解決しようとする課題】
【０００５】
しかしながら、上記特許文献１に開示された従来の車両用灯具では、光軸に沿って延設された比較的長尺なベース領域を有する導光体が灯具下方に配置されているため、灯具全体のコンパクト化、特に車両前後方向の寸法削減を図る上で障害となっていた。
また、ベース領域を短くすると照射面積が減って、前方からの視認性が低下してしまうという問題があった。
【０００６】
本発明の目的は、上記課題を解決するためになされたものであり、照射面積を確保して視認性の向上と共にコンパクト化を図ることができる車両用灯具を提供することにある。
【課題を解決するための手段】
【０００７】
本発明に係る上記目的は、前方が開口したランプボディとその前方開口部に取り付けられた前面カバーとで形成された灯室内に、第１光源からの光を入射し、前方に出射させるように配置された導光体と、第２光源の光を前方に反射させるリフレクタと、を備えた車両用灯具であって、前記リフレクタの前方に前記導光体を配置するとともに、前記導光体の裏面側に配置した前記第２光源の光を前記リフレクタにより反射させ、該反射光を前方に照射させることを特徴とする車両用灯具により達成される。
【０００８】
上記構成の車両用灯具によれば、第１光源の光は導光体に入射されてから、導光体内で反射して前方に出射される。また、導光体の裏面側に配置した第２光源の光はリフレクタにより反射されてから、導光体を外れた領域から前方に照射される。これにより、第１光源の光が導光体から前方に出射されるとともに、第２光源の光が導光体を外れた領域から前方に照射されるので、照射面積を確保することができる。
また、リフレクタの前方に導光体が配置されるので、導光体の長手方向を車両前後方向に対して縦方向または横方向に配置することができる。したがって、車両前後方向の寸法削減が可能となり、コンパクト化を図ることができる。
【０００９】
また、上記構成の車両用灯具において、前記リフレククは、前記第２光源の反射光を前記導光体を外した領域から前方に照射するように構成されていることが望ましい。
【００１０】
このような構成の車両用灯具によれば、導光体から出射する第１光源の光と、リフレクタで反射させる第２光源の光とは別経路によって前方に照射される。この第２光源のリフレクタで反射させる反射方向は、導光体に当たらず、導光体を外した領域から前方に照射する方向である。
リフレクタの反射方向は、リフレクタの反射面上にステップ等を設けたり、リフレクタの取り付け角度を設定することで決定される。したがって、リフレクタからの反射光を有効活用することができる。
【００１１】
また、上記構成の車両用灯具において、前記導光体の裏面側に該導光体に沿ってエクステンションが設けられ、前記導光体からの漏光を該導光体へ入射させることが望ましい。
【００１２】
このような構成の車両用灯具によれば、導光体からの漏光がエクステンションによって導光体へ入射されるので、第１光源の光を無駄なく前方に照射することができる。したがって、第１光源の光を有効活用することができる。
また、このエクステンションの正面視形状を導光体形状に類似した形状にすれば、導光体と完全に重なるエクステンションを常に光らせることができ、視認性向上をさらに図ることができる。
【００１３】
また、上記構成の車両用灯具において、前記エクステンションの裏面に、前記リフレクク側に光軸を向けた前記第２光源が固定されていることが望ましい。
【００１４】
このような構成の車両用灯具によれば、エクステンションの裏面に第２光源が配置されるので、エクステンションは第２光源のダミー部を形成して、常に光っているダミー部を形成することができる。また、第２光源がエクステンションの裏面に固定されるので、エクステンションとリフレクタ間のスペースを有効利用できる。
【００１５】
また、上記構成の車両用灯具において、前記導光体は、帯状に形成されており、複数の前記第２光源が該導光体に沿って配置されるとともに、前記リフレクタが該導光体に対応して帯状に形成されていることが望ましい。
【００１６】
このような構成の車両用灯具によれば、例えば、縦方向に配置した同じ帯状形状の導光体とリフレクタによって、意匠面で良好な車両用灯具を得ることができる。
【発明の効果】
【００１７】
本発明に係る車両用灯具によれば、リフレクタの前方に第１光源の光を入射して前方に出射させる導光体を配置すると共に、導光体の裏面側に配置した第２光源の光をリフレクタにより反射させて前方に照射させることで、照射面積を確保して視認性の向上と共に、コンパクト化を図ることができる。
【図面の簡単な説明】
【００１８】
【図１】本発明に係る車両用灯具の一実施形態を示す正面図である。
【図２】図１のＡ−Ａ線断面図である。
【図３】図１のＢ−Ｂ線断面図である。
【図４】図１のＣ−Ｃ線断面図である。
【発明を実施するための形態】
【００１９】
以下、本発明に係る車両用灯具の一実施形態を図１〜図４に基づいて説明する。
【００２０】
本発明の一実施形態である車両用灯具１０は、図１及び図２に示すように、車両後方側が開口された形状で車体側に固定される樹脂製のランプボディ１１と、ランプボディ１１の前方開口部１２に取り付けられた赤色透明の前面カバー１３とを備えている。
車両用灯具１０の第１灯具ユニット２１は、ランプボディ１１と前面カバー１３とにより形成された灯室１４内に配置された導光体１５と、エクステンション１６と、カバー１７とを備えている。さらに、第１光源である４個の第１発光素子（ＬＥＤ）１８と、第２光源である３個の第２発光素子（ＬＥＤ）１９と、リフレクタ２０とを備えている。
車両用灯具１０は、前述した第１灯具ユニット２１と同じ構成の第２及び第３灯具ユニット２２，２３を横方向に並列状に並設したリアコンビネーションランプである。
【００２１】
図１に示すように、車両用灯具１０は、第１，２，３灯具ユニット２１，２２，２３を横方向に並べて配置している。なお、以下の説明では、各々同一構造を有する第１，２，３灯具ユニット２１，２２，２３の内、中央の第２灯具ユニット２２について詳細な説明をして、第１及び第３灯具ユニット２１，２３の説明は省略する。
【００２２】
導光体１５は、透光性を有する透明樹脂製であり、車両後方側から見て、例えばアーチ橋の支柱に類似した縦方向に延設された縦長の帯形状である。この導光体１５は、中央部に配置されていて下方に向けて幅狭になっている幹部２４と、上部の上方幅広部２５と、下部の下方幅広部２６を有している。この導光体１５の裏面には、後述する反射面を有している。
【００２３】
エクステンション１６は、透光性のない樹脂を用いて導光体１５に相似した形状である。このエクステンション１６は、導光体１５の裏面に接着等により接合されている。
リフレクタ２０は、導光体１５に対応して導光体後方に配置されている。このリフレクタ２０の表面には、導光体１５を外した領域に反射させるための後述する拡散ステップを有している。
【００２４】
第１発光素子１８は、導光体１５の上方幅広部２５の後側に横方向に並べて配置されており、照射方向を車両後方に向けている。この第１発光素子１８は、テールランプ点灯回路に電気的に接続されている。
【００２５】
第２発光素子１９は、導光体１５の幹部２４の後側に縦方向に並べて配置されており、光軸をリフレクタ２０側に向けている。第２発光素子１９は、ストップランプ点灯回路に電気的に接続される。
【００２６】
図２に示すように、ランプボディ１１は、中央部にリフレクタ２０を支持するためのリフレクタ支持部２７を有し、後方にバックカバー２８を備えている。
導光体１５は、前面カバー１３側を凸状として緩やかに湾曲している。導光体１５は、
その上端の入射端部に入射部材２９を光学的に接続している。第１発光素子１８は、その基板３０を光源固定部材３１に固定して、入射部材２９の端面近傍に配置されている。
【００２７】
導光体１５は、エクステンション２０側の裏面上に反射面を有している。この反射面は、点刻ステップや蒸着膜等であり、第１発光素子１８から入射した入射光を前面カバー１３側に向けて反射させる。
【００２８】
導光体１５の裏面に接合されているエクステンション１６は、導光体１５内に入射された第１発光素子１８の入射光の内、エクステンション１６側に反射した漏光をエクステンション１６の表面で反射させて導光体１５側に戻す機能を有している。
【００２９】
カバー１７は、エクステンション２０に相似する形状に形成されている。このカバー１７は、下部をエクテンション１６のベース３２に固定しており、中央部に形成された光挿通孔３３を通じて第２発光素子１９の光をリフレクタ２０側に通過させる。
リフレクタ２０は、その裏面に突出形成されているボス３４をランプボディ１１のリフレクタ支持部２７に固定している。
【００３０】
図３に示すように、導光体１５の上端部分の入射端部は、略凸レンズ状に形成されている。入射部材２９は、第１発光素子１８の光を効率良く導光させるために、導光体１５との接続部に偏光面３５を形成している。
【００３１】
図４に示すように、リフレクタ２０は、凹面状に湾曲形成された反射面３６を有する。この反射面３６は、第２発光素子１９からの光を、導光体１５を外した領域である隣接する導光体間に反射光に反射させるための不図示の拡散ステップを設けている。
【００３２】
次に、車両用灯具１０の光学的特性について説明する。
【００３３】
テールランプ点灯回路が駆動されることにより、第１発光素子１８が発光され、入射部材２９を通じて導光体１５に第１発光素子１８の光が入射される。これにより、図２〜図４に示した発光光α１を出射して縦長の導光体１５を発光させる。
【００３４】
そして、第１発光素子１８が発光しているとき、ブレーキペダルが操作されることにより、ストップランプ点灯回路が駆動され、第２発光素子１９が発光される。これにより、第２発光素子１９からの発光光が、リフレクタ２０により導光体１５を外した領域に反射させ、図２及び図４に示す反射光α２を車両後方に向けて拡散照射する。
【００３５】
上述した本実施形態の車両用灯具１０によれば、リフレクタ２０の前方に導光体１５が配置され、一方の第１発光素子１８の光は、導光体２５内に入射して前方に出射される。また、導光体１５の裏面に配置した他方の第２発光素子１９の光は、リフレクタ２０により導光体１５を外した領域に反射されてから前方に照射される。
これにより、導光体１５から出射する第１発光素子１８の光とリフレクタ２０から反射する第２発光素子１９の光とを組み合わせて、照射面積を確保することができる。
【００３６】
また、リフレクタ２０の前方に導光体１５が配置されるので、導光体１５の長手方向を車両前後方向に沿った配置ではなく、車両前後方向に対して縦方向または横方向に配置することができる。これにより、車両前後方向の寸法削減が可能となり、コンパクト化を図ることができる。
【００３７】
また、導光体１５から出射する第１発光素子１８の光とリフレクタ２０から反射する第２発光素子１９の光とを別経路により前方に照射することができる。
リフレクタ２０で反射させる第２発光素子１９の光の反射方向は、導光体１５に当たらず、導光体１５を外した領域から前方に照射する方向であり、リフレクタ２０の反射面３６上に拡散ステップ等を設けることで設定される。これにより、リフレクタ２０からの反射光を有効活用することができる。
【００３８】
また、導光体１５からの漏光をエクステンション１６により導光体１５内へ反射させる。これにより、導光体１５からの漏光を防いで第１発光素子１８の光を無駄なく前方に照射することができ、第１発光素子１８の光を有効活用することができる。
また、エクステンション１６の正面視形状を導光体１５に類似した形状にすれば、導光体１５と完全に重なるエクステンション１６を常に光らせることができ、視認性向上をさらに図ることができる。
【００３９】
また、エクステンション１６の裏面に第２発光素子１９が配置されることにより、エクテンション１６は第２発光素子１９のダミー部を形成して、意匠面で良好にすることができる。また、第２発光素子１９がエクステンション１６の裏面に固定されることで、エクステンション１６とリフレクタ２０間のスペースを有効利用できる。
【００４０】
さらに、導光体１５及びリフレクタ２０を縦長の帯形状とすることで、縦じまを基調とした意匠面で良好な車両用灯具１０を得ることができる。
【００４１】
なお、本発明は、上述した実施形態に限定されるものではなく、適宜、変形、改良等が自在である。その他、上述した実施形態における各構成要素の材質、形状、寸法、数値、形態、数、配置場所、等は本発明を達成できるものであれば任意であり、限定されない。
【００４２】
例えば、第１，２，３灯具ユニット２１，２２，２３の３個の灯具ユニットに代えて、４個或いは５個の複数個や、それ以上の灯具ユニットを並べて配置しても良く、車両デザインに簡単に適合させることができる。
【符号の説明】
【００４３】
１０  車両用灯具
１１  ランプボディ
１２  前方開口部
１３  前面カバー
１４  灯室
１５  導光体
１６  エクステンション
１８  第１発光素子（第１光源）
１９  第２発光素子（第２光源）
２０  リフレクタ
【図１】
2010192166.tif 000003
【図２】
2010192166.tif 000004
【図３】
2010192166.tif 000005
【図４】
2010192166.tif 000006